(57)【要約】【課題】番組記録手段に記録された番組内の特定の部分から再生を開始可能にする。【解決手段】字幕付き番組を記録し、字幕付き番組に含まれる画面に表示される字幕を抜き取り、抜き取った字幕を文字情報として、番組内における画面の位置情報と共に記録し、記録された字幕付き番組の再生時に、字幕位置記録手段１０４内の文字情報からユーザが指定した文字情報を検索し、検索された文字情報に対応する番組内における画面の位置情報から字幕付き番組を再生する。【選択図】  図３
2006279312.tif 000002
【特許請求の範囲】
【請求項１】
字幕付き番組を記録すると共に、前記記録した字幕付き番組内のユーザの指示に対応した部分から再生が可能な字幕付き番組記録・再生装置であって、
前記字幕付き番組を記録する番組記録手段と、
前記字幕付き番組に含まれる画面に表示される字幕を抜き取る字幕抜き取り手段と、
前記字幕抜き取り手段で抜き取った字幕を文字情報として、番組内における画面の位置情報と共に記録する字幕位置記録手段と、
前記字幕位置記録手段に蓄積された文字情報から、再生時に指定された文字情報を検索する検索手段と、
を備え、前記検索手段で検索された文字情報に対応する番組内における画面の位置情報から前記字幕付き番組を再生することを特徴とする字幕付き番組記録・再生装置。
【請求項２】
前記字幕付き番組は、文字多重放送、データ放送、ＤＶＤビデオの内のいずれか１つであることを特徴とする請求項１に記載の字幕付き番組記録・再生装置。
【請求項３】
字幕付き番組を記録し、前記記録した字幕付き番組内のユーザの指示に対応した部分から再生が可能な字幕付き番組記録・再生方法であって、
前記字幕付き番組を記録する番組記録ステップと、
前記番組記録ステップにおいて、前記字幕付き番組に含まれる画面に表示される字幕を抜き取る字幕抜き取りステップと、
前記字幕抜き取りステップで抜き取った字幕を文字情報として、番組内における画面の位置情報と共に記録する字幕位置記録ステップと、
記録された字幕付き番組の再生時に、前記字幕位置記録手段に蓄積された文字情報からユーザの指定した文字情報を検索する検索ステップと、
を含み、前記検索ステップで検索された文字情報に対応する番組内における画面の位置情報から前記字幕付き番組を再生することを特徴とする字幕付き番組記録・再生方法。
【発明の詳細な説明】
【技術分野】
【０００１】
本発明は、字幕付き番組記録・再生装置及び字幕付き番組記録・再生方法に関し、特に、文字多重放送、データ放送等の映像画面に文字が表示される字幕付き番組を一旦録画した後に再生する際に、映像画面に表示された文字情報によって、番組の所望の部分を特定して再生可能にする字幕付き番組記録・再生装置及び字幕付き番組記録・再生方法に関する。
【背景技術】
【０００２】
文字放送はテレテキストと呼ばれる放送システムの一種であって、テレビション信号の垂直帰線期間の一部に、文字や図形などの文字情報（文字信号）をディジタル化して多重伝送し、受信側では多重された文字情報を復号して元の文字や図形などをモニタ（テレビ画面）上に表示できるようにしたものである。
【０００３】
この文字放送のメニューの中にはニュース、天気予報、株式情報などの他にテレビ番組ガイドなどが含まれている。このような文字放送は放送局独自の表示内容に基づいてサービスの提供が行われている。
しかし、文字放送は通常テレビモニタに、選択したメニューの内容を表示し、これをユーザが見てその内容を確認するだけである。
例えば、ニュース番組では、その日のニュースを画面で見て、内容を把握するだけである。天気予報も同じである。
テレビ番組も電子番組ガイドとして新聞のテレビ欄と同じような使い方がなされている。したがって、そのチャネル（放送局）の放送時刻と番組タイトル、場合によってはその番組内容を確認するだけである。
【０００４】
このように、従来では、文字放送の内容を画面上に表示はするものの、この表示内容を積極的に加工したり、利用したりすることは行われていなかった。
しかし、画面に表示された内容を加工したり、利用したりできれば、非常に便利である。例えば、テレビ番組などの場合には録画した内容を検索するようなとき、録画番組のタイトルなどが同時にしかも自動的に記録されていれば、この番組タイトルを検索するだけで、目的の録画番組を簡単に把握できる。
【０００５】
特に、テレビ番組を録画するときに、電子番組ガイドを利用して、その番組タイトルを自動的に録画媒体に関連させて記録できるようにしたものとしては、以下のものが知られている（例えば、特許文献１参照）。
【０００６】
また、上記刊行物（特許文献１）には、以下の記載がなされている。
図１は、上記刊行物に記載された文字放送受信装置１０の一例を示す系統図である。図１において、アンテナ１２で受信された文字放送（文字信号）はチューナ１４によって目的の放送局が受信され、復調された映像信号は記録再生部１６に供給される。
記録再生部１６にはビデオカセット１８をビデオ機構部（図示はしない）に装填して、ローディングされた記録テープに映像信号を記録したり、再生したりする記録再生回路などが含まれている。
【０００７】
復調されたテレビション信号のうち、文字信号情報は後段の文字信号用デコーダ２０に供給されて、文字信号にデコードされる。
デコードされた文字信号のどれを使用するかなどの指令はマイコンによる制御部２２から行われる。
この制御部２２には制御プログラムが格納されたリードオンリーメモリ(ＲＯＭ)２４や、デコードされた文字情報を一時的にストアするためのランダムアクセスメモリ(ＲＡＭ）２６が設けられている。
【０００８】
復号された文字信号（文字情報や図形情報）はオンスクリーンディスプレー（ＯＳＤ）２８によって映像表示信号に変換され、変換された映像表示信号はモニタ２９上に供給されて、文字情報が映像表示される。
モニタ２９はテレビジョン受像機の画面が利用される。
【０００９】
上述したビデオカセット１８はメモリ付きのビデオカセットが使用される。
これはカセットの内部に半導体メモリを用いたメモリＩＣ１９などが内蔵されたもので、ビデオカセット１８を記録再生部１６に装填すると、メモリＩＣ１９の接点（入出力接点）と、装置側に設けられた接点（入出力接点）２１とが接触する構成となっている。この接触により、制御部２２からの情報をこのメモリＩＣ１９に書き込めるようになっている。
もちろん、このメモリＩＣ１９に書き込まれた情報を読み出してモニタ２９に表示することもできる。
【００１０】
録画を指示したり、文字放送を受信したりする指令は、記録再生部１６に設けられたＶＴＲ用操作キー（図示はしない）やリモコン３４を使用して入力することができる。
リモコン３４を使用する場合には受信部３２を介して制御部２２に指令信号が送り込まれる。
【００１１】
図２は文字放送を受信したときの表示画面構成の一例で、図の例はテレビ番組ガイドの表示内容の具体例である。
同図に示す画面３６上には受信チャネル番号や現時刻が表示されるエリア３８が設けられる他、受信した放送局名を表示するエリア４１が設けられている。
この他に、実際にその放送局で放送する１日の番組ガイドが表示される。
【００１２】
この番組ガイドにおいて、図２では先頭エリア４２が放送時刻を表示するエリアとなされ、この放送時刻の後のエリア４４にその放送番組のタイトル（場合によっては、番組の内容）を示す文字列が表示される。
また、番組情報を表示するページ番号なども表示される。
ユーザはこのテレビ番組ガイド（電子番組ガイド）によって、見たい番組を検索したり、放送時刻や番組タイトルなどを確認したりすることができる。
【００１３】
従来では、このテレビ番組ガイドの内容を確認するだけで、それ以上の使われ方はなされていないが、この文字情報をさらに利用する。
文字放送としてテレビ番組ガイドを例示すれば、ユーザが現在見ているテレビ番組を録画するとき、録画モードが選択されることによって、記録再生部１６のビデオカセット１８には現在視聴しているテレビ番組が録画される。
この録画処理と同時に、録画しているテレビ番組のタイトルの検索処理が、ＲＡＭ２６内のダウンロードデータを利用して実行される。
【００１４】
タイトル検索によって録画しているテレビ番組が判明したときには、その番組のタイトルが抽出される。
抽出された番組タイトルは一旦例えばＲＡＭ２６の別エリアに格納することができる。抽出された番組タイトルは録画媒体に関連させて記録される。
【００１５】
録画媒体として図１に示すようなメモリ付きビデオカセットを利用する場合には内蔵されているメモリ（メモリＩＣ）１９に番組タイトルが記録される。
これによって録画媒体と番組タイトルとが１対１の関係となり、メモリＩＣ１９から番組タイトルを読み出せば、この番組タイトルによって録画内容を検索できる。
つまり、録画された映像を再生しないでも、簡単かつ確実に、しかも短時間で録画内容を検索できる。
【特許文献１】特開平１１−２５２４９９号公報
【発明の開示】
【発明が解決しようとする課題】
【００１６】
従来の文字放送受信装置では、文字放送として放送されるテレビ番組ガイドを利用してユーザが希望するテレビ番組を録画すると共に、テレビ番組ガイドから抽出された番組タイトル等の情報を録画媒体に関連させて記録するものであるものの、録画されたテレビ番組を再生する際に、検索できるのは番組タイトル対応のテレビ番組単位であって、テレビ番組内の特定の部分をユーザが指定して検索することはできなかった。
【００１７】
本発明が解決しようとする課題としては、番組タイトル等の情報が記録媒体に関連して記録されているため、番組タイトル単位でテレビ番組を検索できても、そのテレビ番組内の特定部分を検索(頭出し)することができず、またこの検索位置から再生を開始できないという問題が一例として挙げられる。
【課題を解決するための手段】
【００１８】
請求項１に記載の字幕付き番組記録・再生装置は、字幕付き番組を記録すると共に、前記記録した字幕付き番組内のユーザの指示に対応した部分から再生が可能な字幕付き番組記録・再生装置であって、前記字幕付き番組を記録する番組記録手段と、前記字幕付き番組に含まれる画面に表示される字幕を抜き取る字幕抜き取り手段と、前記字幕抜き取り手段で抜き取った字幕を文字情報として、番組内における画面の位置情報と共に記録する字幕位置記録手段と、前記字幕位置記録手段に蓄積された文字情報から、再生時に指定された文字情報を検索する検索手段と、を備え、前記検索手段で検索された文字情報に対応する番組内における画面の位置情報から前記字幕付き番組を再生することを特徴とする。
【００１９】
請求項３に記載の字幕付き番組記録・再生方法は、字幕付き番組を記録し、前記記録した字幕付き番組内のユーザの指示に対応した部分から再生が可能な字幕付き番組記録・再生方法であって、前記字幕付き番組を記録する番組記録ステップと、前記番組記録ステップにおいて、前記字幕付き番組に含まれる画面に表示される字幕を抜き取る字幕抜き取りステップと、前記字幕抜き取りステップで抜き取った字幕を文字情報として、番組内における画面の位置情報と共に記録する字幕位置記録ステップと、記録された字幕付き番組の再生時に、前記字幕位置記録手段に蓄積された文字情報からユーザの指定した文字情報を検索する検索ステップと、を含み、前記検索ステップで検索された文字情報に対応する番組内における画面の位置情報から前記字幕付き番組を再生することを特徴とする。
【発明を実施するための最良の形態】
【００２０】
以下、本発明に係る字幕付き番組記録・再生装置の実施の形態について、図面を参照しながら詳細に説明する。
図３は、本発明の実施の形態にかかる字幕付き番組記録・再生装置１００の構成を示すブロック図である。
図３において、本実施の形態の字幕付き番組記録・再生装置１００は記録手段１０１と、表示手段１０２と、字幕抜き取り手段１０３と、字幕位置記録手段１０４と、切換えスイッチ１０５と、検索手段１０６とで構成されている。
【００２１】
記録手段１０１は、チューナで選曲された放送局からの字幕付き番組（字幕放送）を記録するように機能し、図ではハードディスク（ＨＤＤ）が用いられているが、記録・再生が可能な他の記録媒体でも良い。
表示手段１０２は字幕付き番組を表示するように機能し、ここではＴＶ受像機が用いられている。字幕抜き取り手段１０３は字幕付き番組に含まれる字幕のみを抜き取るように機能する。
字幕位置記録手段１０４は前記字幕抜き取り手段１０３で抜き取った字幕の内容を文字情報として、当該字幕が表示されている番組の位置情報（フレーム情報）と共に記録するように機能する。
【００２２】
切換えスイッチ１０５は、記録手段１０１に記録された字幕付き番組又は字幕抜き取り手段１０３で抜き取った字幕(文字)を選択的に表示手段１０２に表示させるように機能する。
検索手段１０６は、字幕つき番組の再生時に、ユーザによって指定された文字情報を検索するように機能する。この検索手段１０６は、字幕位置記録手段１０４から得た番組内における画面の位置情報(フレーム情報)から、記録手段１０１内の字幕付き番組を再生可能にする。
【００２３】
前記字幕抜き取り手段１０３では、字幕付き番組の画面から字幕部分のみを抜き取る。
字幕部分の抜き取りは、文字多重放送やデータ放送の如き、文字情報が独立して放送されるものでは、字幕付き番組に含まれる文字データをディジタル信号処理により抽出すれば良い。
また、映像画面にスーパーインポーズの如く、アナログデータとして字幕が形成されている場合には、映像と字幕の特徴の違いに基づいて、周知の画像処理の技術を用いて字幕部分のみを切り出し処理をした後、字幕部分に対して文字認識処理を実行して文字情報を得る。
【００２４】
次に、本発明の実施の形態による字幕付き番組記録・再生方法を、図４および図５に示すフローチャートを参照しながら説明する。
初めに、字幕付き番組の記録手順を図４のフローチャートを参照しながら説明する。
まず、チューナで選局された放送局からの字幕付き番組を、ユーザの記録操作にもとづいて記録手段１０１に記録する（ステップＳ１１）。
前記番組記録ステップＳ１１で記録された前記字幕付き番組に含まれる画面に表示される字幕を、字幕抜き取り手段１０３により抜き取る（ステップＳ１２）。
【００２５】
前記字幕抜き取りステップＳ１２で抜き取った字幕を文字情報として、番組内における画面の位置情報とともに、字幕位置記録手段１０４に記録する（ステップＳ１３）。
【００２６】
続いて、字幕付き番組の再生手順を、図５のフローチャートを参照しながら説明する。
まず、記録された字幕付き番組の再生時に、ユーザは文字情報を指定して検索手段１０６に対して検索を指示する(ステップＳ２１)。
【００２７】
検索手段１０６は前記字幕位置記録手段１０４に蓄積された文字情報からユーザが指定した文字情報を検索する（ステップＳ２２）。
このため、記録手段１０１は、検索された文字情報にもとづき対応する番組内の位置に対応するから前記字幕付き番組を再生する（ステップＳ２３）。この再生された字幕付き番組は、ＴＶ受像機などの表示手段１０２上にて表示される。
【００２８】
なお、前記ステップＳ２３における文字情報と番組内の画面の位置情報を記録する記録媒体としては、字幕付き番組が記録される記録手段１０１を利用し、これの所定箇所に記録しても良いが、別の記録媒体を利用しても良い。
また、ユーザによる字幕付き番組の文字情報の検索には、キーボード等の入力手段によって任意の文字情報を入力しても良いが、抜き取られて記録されている文字情報の一覧リストを表示手段１０２に表示し、マウス等によってユーザが指定することもできる。
【００２９】
以上、詳述したように、本実施の形態に係る字幕付き番組記録・再生装置１００は字幕付き番組を記録すると共に、記録した字幕付き番組内のユーザの指示に対応した部分から再生が可能な字幕付き番組記録・再生装置であり、字幕付き番組を記録する番組記録手段１０１と、字幕付き番組に含まれる画面に表示される字幕を抜き取る字幕抜き取り手段１０３と、字幕抜き取り手段１０３で抜き取った字幕を文字情報として、番組内における画面の位置情報と共に記録する字幕位置記録手段１０４と、字幕位置記録手段１０４に蓄積された文字情報から、再生時に指定された文字情報を検索する検索手段１０６と、を備え、検索手段１０６で検索された文字情報に対応する番組内における画面位置情報の位置から、字幕付き番組を再生する装置である。
【００３０】
また、本実施の形態に係る字幕付き番組記録・再生方法は、字幕付き番組を記録し、記録した字幕付き番組内のユーザの指示に対応した部分から再生が可能な方法であり、字幕付き番組を記録する番組記録ステップＳ１１と、番組記録ステップＳ１１において、字幕付き番組に含まれる画面に表示される字幕を抜き取る字幕抜き取りステップＳ１２と、字幕抜き取りステップＳ１２で抜き取った字幕を文字情報として、番組内における画面の位置情報と共に記録する字幕位置記録ステップＳ１３と、記録された字幕付き番組の再生時に、字幕位置記録手段１０４に蓄積された文字情報からユーザの指定した文字情報を検索する検索ステップＳ２２と、を含み、検索ステップで検索された文字情報に対応する番組内における画面の位置情報から字幕付き番組を再生する方法である。
【００３１】
これにより、字幕付き番組の録画時に、画面上に表示された字幕（文字情報）を抜き取って、その字幕が表示されている番組内の位置情報と共に記録し、再生時にユーザが特定の字幕（文字情報）を指定して検索することができ、これによって、ユーザが番組内の観たい特定の部分から画像再生を開始することができる。
【図面の簡単な説明】
【００３２】
【図１】従来の文字放送受信装置の構成を示すブロック図である。
【図２】図1の文字放送受信装置で文字放送（テレビ番組ガイド）を受信したときの表示画面の一例を示す図である。
【図３】本発明の実施の形態による字幕付き番組記録・再生装置の構成を示すブロック図である。
【図４】本発明の実施の形態による字幕付き番組の記録手順を示すフローチャートである。
【図５】本発明の実施の形態による字幕付き番組の再生手順を示すフローチャートである。
【符号の説明】
【００３３】
１０１  ＨＤＤ(番組記録手段)
１０２  ＴＶ受像機(表示手段)
１０３  字幕抜き取り手段
１０４  字幕位置記録手段
１０５  切換えスイッチ
１０６  検索手段
【図１】
2006279312.tif 000003
【図２】
2006279312.tif 000004
【図３】
2006279312.tif 000005
【図４】
2006279312.tif 000006
【図５】
2006279312.tif 000007